(57)【要約】      （修正有）【課題】武器模型の砲身から出る弾丸の軌道を修正する軌道修正装置を提供する。【解決手段】砲身内の弾丸を保持するための第一ボス６ｄを形成する第一ピン３ｄと、砲身内の弾丸を保持するための第二ボス６ｇを形成する第二ピン３ｇとを含み、該第一および第二ピンが、砲身の中心を通る垂直軸ＸＸの両側に対称に位置づけられる。【選択図】図１
2005121358.tif 000002
【特許請求の範囲】
【請求項１】
武器模型の砲身から出る弾丸の軌道修正装置であって、該軌道修正装置は、砲身内の弾丸を保持する第一ボス（６ｄ）を形成する第一ピン（３ｄ）を含み、
砲身内の弾道を保持する第二ボス（６ｇ）を形成する第二ピン（３ｇ）を含み、第一および第二ピンが、前記砲身の中心を通る水平軸（ＨＨ）の下で、砲身の中心（Ｃ）を通る垂直軸（ＸＸ）の両側に対称に位置づけられることを特徴とする。
【請求項２】
砲身内の第一および第二ボスの高さが、調節可能であることを特徴とする、請求項１に記載の装置。
【請求項３】
第一および第二ピンが、それぞれ調節ノブ（５ｄ、５ｇ）付きのネジ（４ｄ、４ｇ）を含むことを特徴とする、請求項１または請求項２に記載の装置。
【請求項４】
ピンの各ネジが、ボスを形成する弾性素材の砲身の継手を押し込むことを特徴とする、請求項３に記載の装置。
【請求項５】
第一および第二ピンが、それぞれ弾性片（１０）に固定された出張り（９）を含むことを特徴とする、請求項１または請求項２に記載の装置。
【請求項６】
砲身が、各出張りについて、出張りの通過のための孔（１３）を含むことを特徴とする、請求項５に記載の装置。
【請求項７】
弾性片（１０）が、制御棒（１１）によって変形されることを特徴とする、請求項５または請求項６に記載の装置。
【請求項８】
出張りが、弾性素材であることを特徴とする、請求項５から請求項７のいずれか一つに記載の装置。
【請求項９】
弾性片が金属であることを特徴とする、請求項５から請求項８のいずれか一つに記載の装置。
【請求項１０】
砲身内のボスの位置が調節可能であることを特徴とする、請求項１に記載の装置。
【請求項１１】
装置が、二つのボスから等距離に、砲身の上に固定された調節ノブを含むことを特徴とする、請求項１０に記載の装置。
【発明の詳細な説明】
【技術分野】
【０００１】
発明の分野
本発明は、直径およそ６ミリメートルの超軽量プラスチック弾を発射する「エアソフトガン（登録商標）」または「ソフトエア（登録商標）」型の武器模型において、弾丸軌道を修正するための装置に関するものである。より詳細には、本発明は、武器模型の砲身から出るプラスチック弾丸の軌道の修正に関するものである。弾丸の軌道修正は、垂直方向にも水平方向にも、長い武器模型でも小型武器模型でも同じように実施できる。
【０００２】
本発明の主たる用途分野は、ばね仕掛けのまたは電動長尺武器の分野、およびとくに電動ライフルなどの長尺武器模型である。
【０００３】
本発明はとくに、弾丸がプラスチック素材の弾である武器模型に適用される。本発明は、小型武器模型を備えることもできる。
【背景技術】
【０００４】
先行技術
武器模型の分野において、大人および／または子供たちのための玩具製造を目的として、火器の数多くのモデルが複製されている。これらの武器模型は一般的に、本物の武器の弾や鉛ペレットの代わりに、プラスチック弾のようなプラスチック製の弾丸を発射する。そのような訳で、武器模型には一般的に、模型の製造自体に由来する欠点が含まれている。一般的に発射システムまたは砲身内に位置するこれらの欠点が、弾丸が武器から出る際に弾丸をそらすものとなる。例えば、武器を出ることによって弾丸は右に、あるいは他方では左に、またさらには上下に弾丸がそれることがある。これらの欠点はほとんど不可避であり、単に製造公差によるものである。これらの欠点は、発射範囲が長い、ライフル型の長尺武器模型にはとくにやっかいである。明らかに、実際には、弾丸の到達距離が長いほど、弾丸軌道の狂いが大きくなる。
【０００５】
現在、大半の長尺武器模型において、弾道軌道における修正はいっさい用いられていない。
【０００６】
しかしながら、武器模型の砲身から出る弾丸の軌道を垂直方向に修正するためのシステムは存在する。ホップアップ（登録商標）システムと呼ばれる、このシステムは武器砲身の内部の、入力に、砲身中心の垂直に対して配置されたゴムのピンからなる。より正確には、このゴムのピンは、砲身の上部で、武器砲身の中心において武器砲身を横断する垂直軸上に位置づけられる。このゴムのピンは、弾丸を保持し、方向付ける機能を有する。事実このゴムのピンは、武器砲身から出る前に発射システムによって発射された弾丸を、おおよそ維持する。この砲身から出る間弾丸を維持する作用は、その出口軌道において弾丸に回転効果を付与する。この回転効果の結果として、弾丸が上昇する、すなわち、弾丸軌道が上方に修正される。しかしながら弾丸の重さ自体が、弾丸の故意の上昇軌道を相殺し、該重さは、弾丸が砲身から出た後すぐに、水平弾丸軌道を引き起こす。
【０００７】
この説明を読むことによって理解できる様に、このホップアップシステムは弾丸軌道の垂直修正しかできない。このようなわけで、先に述べた如く、武器模型の製造欠陥は垂直および水平の両方の軌道欠陥を招くおそれがある。
【発明の開示】
【発明が解決しようとする課題】
【０００８】
発明の簡単な説明
本発明の目的は、まさに上述のシステムの課題を解決することにある。この目的のために、本発明は、電動長尺武器の砲身から出る弾丸の軌道の修正装置を提案し、この修正は、垂直あるいはさらに垂直および水平の両方とすることができる。このため本発明の装置は、砲身の中心を通る垂直軸の両側に対称に位置づけられた二本のゴムのピンを配置することから成る。
【課題を解決するための手段】
【０００９】
より正確には、本発明は、砲身内の弾丸の第一保持ボスを形成する第一ピンを含む、模型の砲身から出る弾丸軌道のための修正装置に関するものであり、該修正装置は、砲身内の弾丸の第二保持ボスを形成する第二ピンを含み、砲身の中心を通る垂直軸の両側に第一および第二ピンが対称に位置づけられることを特徴とするものである。
【発明の効果】
【００１０】
有利には、砲身内の第一および第二ボスの高さは調節自在であり、それによって発砲精度を最適にするために、弾への所与の効果に対する全ての可能な調節ができる。
【００１１】
図面の簡単な説明
図１は、本発明による軌道修正装置の一つの実施態様を示している。
【００１２】
図２Ａおよび２Bは、本発明の軌道修正装置の第二の実施態様を示している。
【００１３】
図３は、本発明の装置のさまざまな調節について得られた弾丸衝撃を示す標的を示している。
【００１４】
図４は、本発明の軌道修正装置の変型例を示している。
【発明を実施するための最良の形態】
【００１５】
本発明の実施態様の詳細な説明
図１は、電動長尺武器、例えばライフルの模型の、砲身の正面断面図である。この電動長尺武器、もっと簡単に呼べば武器または武器模型は、本発明の軌道修正装置を備えている。図１において、武器砲身は１で表されている。砲身は、内面１ｉおよび外面１ｅを含む。この砲身は、その内面１ｉに沿って砲身継手２を備えている。この砲身継手２は、従来通り、ゴムなどの弾性材料で製作されている。
【００１６】
砲身の中心に示された点Cは、水平軸ＨＨと同様に、ＸＸで示した垂直軸が通る砲身の幾何的中心を示している。
【００１７】
本発明にかなう形では、砲身１は弾丸軌道修正装置を備えている。この装置は、第一ピン３ｄ（右ピン）および第二ピン３ｇ（左ピン）から成り、該第一および第二ピンはそれぞれ、砲身１の内部で第一ボス６ｄおよび第二ボス６ｇを形成する。これらのピン３ｄおよび３ｇは、垂直軸ＸＸの両側、水平軸ＨＨの上方に対称に配置されている。図１の例において、ピン３ｄおよび３ｇは、垂直軸ＸＸに対しておよそ４０度の角度で配置されている。
【００１８】
ピン３ｄおよび３ｇのネジは、砲身１自体を横断して砲身内部に導入して良い。該ネジは、砲身支えおよび砲身自体を横断して導入してもよい。後者の場合、このことによって、武器模型の台尻の近くに調節ノブを配置することが可能になる。このとき射手は、標的をねらい続けながらボスの高さを容易に調節できる。
【００１９】
図１の実施態様において、各ピン３ｄおよび３ｇはそれぞれネジ４ｄおよび４ｇを含み、該ネジは、砲身の継手２内に沈んで、それぞれ継手に対する圧力によってボス６ｄおよび６ｇを形成する。この実施態様において、各ネジ４ｄおよび４ｇの上にノブ、５ｄおよび５ｇがそれぞれ載せられ、継手２内に沈むネジの高さの調節を可能にする。したがって、このように各ネジを砲身１内に多少ともねじ込むと、該ネジは継手２内に多少とも沈み、多少ともかなり大きなボスを生み出す。
【００２０】
ボスの高さ調節システムは、このように回転する。
【００２１】
言い換えれば、継手２内に沈む各ネジの高さ調節が各ボスの高さを調節する。ボス６ｄおよび６ｇは、したがって同一の高さまたは、反対に、異なる高さを有することができる。
【００２２】
これらのボスのそれぞれの機能は、弾丸が砲身から発射されるときに、それを多少とも保持することである。この保持により、砲身から出る弾丸の軌道を変えることが可能になる。異なるボスの高さを有することによって、軌道を水平方向に変えることが可能になる。言い換えれば、ボスの存在そのものによって、弾丸を垂直に変更することが可能になる。ボス高さの差動調節によって、弾丸軌道が水平方向に、つまり右または左に変更されることが可能になる。事実、ボスが低い高さを有するとき、このことは弾丸の通過の際のそれに対する作用を減じ、また反対に、それが高い高さを有するとき、このことは弾丸の通過の際のそれに対する作用を増す。
【００２３】
ここでわかる様に、ボス６ｄおよび６ｇが同一高さを有するとき、すなわち、ピン３ｄのノブおよびピン３ｇのノブが同一に調節されたとき、弾丸軌道は水平方向には変えられない；それは垂直面でだけ修正される。他方で、ボス６ｄおよび６ｇが異なる高さを有するとき、これは水平面および垂直面で弾丸軌道に影響する。
【００２４】
とくに、左ボス６ｇが右ボス６ｄより高いとき、そのとき発射は左に方向付けられる。反対に、右ボス６ｄが左ボス６ｇより高いとき、そのとき発射は右に方向付けられる。
【００２５】
発射方向付けの一つの例が、図２に示されている。より正確には、図２は３回の弾丸発射が実行された標的を示している。
【００２６】
最初の発射Ｔ１の結果は、弾丸が垂直にだけ修正されたことを示している。右６ｄおよび左６ｇのボスはしたがって、同一である。
【００２７】
２回目の発射Ｔ２の結果は、垂直軸ＸＸの右に方向付けられている。これは右ボス６ｄの高さが左ボス６ｇのそれより高かったことを示している。
【００２８】
反対に、３回目の発射Ｔ３の結果は、垂直軸ＸＸの左に位置づけられている。これは左ボス６ｇが右ボス６ｄよりも大きかったことを示している。
【００２９】
図２はこのように、ボス６ｄおよび６ｇの高さを変化させることによって、垂直面に加えて水平面でも弾丸軌道が変えられることを示している。ここでわかる様に、空間全体内での弾丸軌道の修正は、武器模型の軌道欠陥のほとんど全ての修正を可能にする。
【００３０】
図３Ａにおいて、側面図は本発明の装置の第二の実施態様を示している。この実施態様において、調節ピンは８で表されている。このピン８は例えば、金属製の弾性片１０の上に取り付けられた、可塑性材料製の、例えば、ゴム製の出張り９を含む。出張り９は、任意の固定手段、例えば、接着または穴あけによって、弾性片１０の一端に固定されている。弾性片１０は、特定の長さ、例えば、その長さの半分にわたって、例えば、金属製の制御棒１１に固定されている。
【００３１】
出張り９の通過を可能にするために、砲身１に孔１３が開けられている。このようにして、出張り９は、孔１３内で、射手によって選択された位置に維持される。出張り９は、このように武器の砲身内にボスを形成する。このボスの高さは、弾性片１０に組み合わされた制御棒１１によって制御される。より正確には、弾性片１０は出張り９を孔１３内に多少とも完全に維持する。これを行うために、弾性片１０が上に固定されている制御棒１１によって、該弾性片は延長される。したがって、制御棒１１が射手の方に引かれれば引かれるほど、弾性片１０はいっそう延長され、出張り９がより不完全に孔１３内に導入され、それによってボスがより短くなる。反対に、制御棒が砲身支え７に向かって押されるほど、弾性片１０がゆるんで、出張り９がより完全に孔１３内に入り、それによってボスが大きくなる。このように、制御棒１１が砲身１に向かって最大限に押されたとき、そのとき弾性片１０は砲身１の外面に対して配置され、その結果として出張り９は顕著に砲身の内側に入り、少し大きい弾が詰まる恐れなしに最大高さでボスが生成されるが、それは弾性片のフレキシビリティがその放出を可能にするからである！他方で、制御棒１１が射手の方に最大限に引かれたとき、そのとき弾性片１０は（図３Ａに示した如く）最大限に延長され、その結果として出張りは孔１３内で最大限に持ち上げられ、ボスは生成されない。
【００３２】
制御棒１１のこの押引操作を容易にするために、制御棒１１はレバー１２を含んでも良く、そしてこのレバーは例えば、水平軸ＨＨに対して９０度の角度で曲げられた制御棒の延長とすることができる。この場合、図３Ｂに示した如く、このレバー１２は武器のフレーム１４内に作られた細長い孔１５を横断する。
【００３３】
このレバー１２を多少とも押したり引いたりすることによって、射手は出張り９によって形成されたボスの高さに直接働きかけることができる。この実施態様は、ボスの線形高さを調節するためのシステムを得ることを可能にする。かかる線形調節は、射手が測定するのがより容易であるという利点がある。事実、細長い孔１５の中にレバー１２が見えるので、射手はボスのレベルを、すなわちボスがない、低い、平均、高い、最大であるかを、また中間ボスの全てのレベルを見ることができる。
【００３４】
図３Ａおよび３Ｂは、単一ボスとこのボスの高さのための単一調節システムとを示している。もちろん、ここでわかる様に、（図２に示した）第一の実施態様について、この第二の実施態様による軌道修正装置も二つの対称なボスから成り、それぞれのボスの高さは独立した制御システム（制御棒、弾性片、など）によって調節される。
【００３５】
どの実施態様を選んでも、軌道修正装置は砲身の入口の、外に向けて弾丸が発射される場所の直ぐ後ろに置かれる。第一の実施態様において、ボス調節システムは、武器の外側、弾丸が発射されるほぼこの場所に位置づけられる。第二の実施態様において、ボス調節システムは移動できる、すなわち武器の選択された場所、例えば、射手の近くに置かれることができるという利点がある。
【００３６】
本発明の変型例として、軌道修正装置は調節不能としても良い。このときは経済的な武器模型を装備することができる。この場合、修正装置は砲身の上部、軸ＸＸの両側に位置づけられた二つのボスを含む。これら二つのボス６ｄおよび６ｇは、その高さが調節できないということを除いて、図１に示したものと同一である。このときのボスは、砲身１の内面上に形成されたゴム製の半球によって製造される。この変型例において、回転効果の間、単一ボスが弾を維持し、弾が発射軸の左右にわずかに変位することのある既知の場合よりも、弾はよく留められる。このように、この装置は発射のばらつきを減らすことを可能にし、一連の発射の間の発射のまとまりを良くする。
【００３７】
別の変型例において、砲身１の内面上のボス６ｄおよび６ｇの場所は、調節可能である。この変型例は図４に示されている。この変型例において、ボスは上記の変型例のそれらと同一であり、修正装置は二つのボス６ｄおよび６ｇから等距離に、砲身１の上に固定されたノブ１６を含む。砲身（または二つのボスを含む砲身の部分）は自由に回転できるので、ノブ１６は砲身１が砲身支え７内で旋回し、結果的に、軸ＸＸに対してボス６ｄおよび６ｇを移動させることを可能にする。
【００３８】
このような砲身が全体的に、あるいは部分的に、軸ＸＸの左右に回転することによって、軸ＸＸの左右への発射の修正が可能になる。言い換えれば、この砲身回転が弾の軌道を水平方向に修正することを可能にする。
【図面の簡単な説明】
【００３９】
【図１】本発明による軌道修正装置の一つの実施態様を示す図である。
【図２】本発明の装置のさまざまな調節について得られた弾丸衝撃を示す標的を示す図である。
【図３Ａ】本発明の軌道修正装置の第二の実施態様を示す図である。
【図３Ｂ】本発明の軌道修正装置の第二の実施態様を示す図である。
【図４】本発明の軌道修正装置の変型例を示す図である。
【符号の説明】
【００４０】
１          砲身
２          砲身継手
３ｄ、３ｇ  ピン
４ｄ、４ｇ  ネジ
５          ノブ
６ｄ、６ｇ  ボス
７          砲身支え
８          調節ピン
９          出張り
１０        弾性片
１１        制御棒
１２        レバー
１３        孔
１４        フレーム
１５        細長い孔
１６        ノブ
【図１】
2005121358.tif 000003
【図２】
2005121358.tif 000004
【図３Ａ】
2005121358.tif 000005
【図３Ｂ】
2005121358.tif 000006
【図４】
2005121358.tif 000007
【外国語明細書】
2005121358.tif 000008
2005121358.tif 000009
2005121358.tif 000010
2005121358.tif 000011
2005121358.tif 000012
2005121358.tif 000013
2005121358.tif 000014
2005121358.tif 000015
2005121358.tif 000016
2005121358.tif 000017
2005121358.tif 000018
2005121358.tif 000019
2005121358.tif 000020
2005121358.tif 000021
2005121358.tif 000022